(57)【要約】  【課題】  フェライトコアに設けた凸部の電子銃側端部の欠けを防止しつつ、偏向パワーに関しても不利にならないようにすることができる受像管装置を提供する。  【解決手段】  フェライトコア１０の内面に、陰極線管の管軸側に突出した複数の凸部１２、１３が形成されており、凸部１２、１３は電子銃側からスクリーン面側に向けてフェライトコア１０の内面に沿って形成されており、複数の凸部１２、１３は、電子銃側の端部がフェライトコア１０の電子銃側の端部１０ａよりスクリーン面側にある第１の凸部１２と、電子銃側の端部がフェライトコアの前記電子銃側の端部１０ａに略一致する第２の凸部１３とであり、第２の凸部１３の電子銃側の端部における先端の幅Ｗ２は、第１の凸部１２の電子銃側の端部における先端の幅より大きい。【選択図】  図２
2005317378.tif 000002
【特許請求の範囲】
【請求項１】
内面にスクリーン面が形成されたパネルとファンネルとで構成された外囲器と、前記ファンネルのネック部内に設けられた電子銃と備えた陰極線管に、前記ファンネルの外部を囲むように偏向ヨークが設けられたカラー受像管装置であって、
前記偏向ヨークは、偏向コイルが巻回されたフェライトコアを含んでおり、
前記フェライトコアの内面に、前記陰極線管の管軸側に突出した複数の凸部が形成されており、前記凸部は前記電子銃側から前記スクリーン面側に向けて前記フェライトコアの内面に沿って形成されており、
前記複数の凸部には、前記電子銃側の端部が前記フェライトコアの前記電子銃側の端部より前記スクリーン面側にある第１の凸部と、前記電子銃側の端部が前記フェライトコアの前記電子銃側の端部に略一致する第２の凸部とがあり、
前記第２の凸部の前記電子銃側の端部における先端の幅は、前記第１の凸部の前記電子銃側の端部における先端の幅より大きいことを特徴とするカラー受像管装置。
【請求項２】
前記第２の凸部の前記先端の幅は３ｍｍ以上であり、前記第１の凸部の前記先端の幅は３ｍｍ未満である請求項１に記載のカラー受像管装置。
【請求項３】
前記フェライトコアの水平軸を前記スクリーン面の画面水平方向と同じ方向でかつ前記管軸を通る軸とすると、前記第２の凸部は前記水平軸近傍に形成されている請求項１又は２に記載のカラー受像管装置。
【発明の詳細な説明】
【技術分野】
【０００１】
本発明は、テレビジョンやコンピュータディスプレイ等に用いられるカラー受像管装置に関し、偏向ヨークに用いる磁気コアの構造に関する。
【背景技術】
【０００２】
図７は、従来のフェライトコアの電子銃側の端部を表す斜視図である。フェライトコア２０は、その内面に管軸であるＺ軸側に突出する凸部２０を複数設けたものである。図示はしていないが、このようなフェライトコア２０を備えた偏向ヨークは、隣り合う凸部２０間の溝部に水平偏向コイルと垂直偏向コイルとを、絶縁スペーサを介して巻回している（例えば、特許文献１参照）。図７のように凸部を設けたフェライトコア２０は、スロットコアと呼ばれている。
【０００３】
スロットコアを用いた偏向ヨークは、凸部がないフェライトコアを用いた偏向ヨークに比べ、凸部を受像管に近づけることができるため、偏向感度の点で有利である。また、コイルに磁束が鎖交しにくくなり、渦電流損失が低減して偏向ヨークの発熱も低減できる。
【０００４】
一方、スロットコアを用いた偏向ヨークでは、磁界分布を最適化するための巻線分布の自由度を高めることが課題となる。この課題を解決するため、フェライトコアの電子銃側にのみ凸部を設けることが提案されている（例えば、特許文献２参照。）。この構成では、凸部２０が存在しないスクリーン側の内面領域を利用して、巻き線角度に変化をもたせることができる。
【特許文献１】実開昭６１−５６７５７号公報
【特許文献２】実公平７−３５２８９号公報
【発明の開示】
【発明が解決しようとする課題】
【０００５】
しかしながら、前記のようなフェライトコアは、粉末状のフェライトコア材を金型でプレス成型した後に焼成することにより製造する。従来のフェライトコアでは、図７に示すように、凸部２１の電子銃側の端部２１ａがフェライトコア２０の電子銃側の端部２２と一致している（同一面上に位置する）。このため、フェライトコア材のプレス成型後、焼成前に、平らな台にフェライトコア２０の電子銃側の端部２２を接するように置いたときに、凸部２１の電子銃側の端部２１ａが薄いために、この部分が欠けやすいという問題点があった。
【０００６】
本発明は、前記のような従来の問題を解決するものであり、フェライトコアに設けた凸部の電子銃側端部の欠けを防止しつつ、偏向パワーに関しても不利にならない受像管装置を提供することを目的とする。
【課題を解決するための手段】
【０００７】
前記目的を達成するために、本発明のカラー受像管装置は、内面にスクリーン面が形成されたパネルとファンネルとで構成された外囲器と、前記ファンネルのネック部内に設けられた電子銃と備えた陰極線管に、前記ファンネルの外部を囲むように偏向ヨークが設けられたカラー受像管装置であって、前記偏向ヨークは、偏向コイルが巻回されたフェライトコアを含んでおり、前記フェライトコアの内面に、前記陰極線管の管軸側に突出した複数の凸部が形成されており、前記凸部は前記電子銃側から前記スクリーン面側に向けて前記フェライトコアの内面に沿って形成されており、前記複数の凸部には、前記電子銃側の端部が前記フェライトコアの前記電子銃側の端部より前記スクリーン面側にある第１の凸部と、前記電子銃側の端部が前記フェライトコアの前記電子銃側の端部に略一致する第２の凸部とがあり、前記第２の凸部の前記電子銃側の端部における先端の幅は、前記第１の凸部の前記電子銃側の端部における先端の幅より大きいことを特徴とする。
【発明の効果】
【０００８】
本発明によれば、フェライトコアに設けた凸部の電子銃側端部の欠けを防止しつつ、偏向パワーに関しても不利にならないようにすることができる。
【発明を実施するための最良の形態】
【０００９】
本発明は、フェライトコアに設けた凸部のうち、フェライトコアの電子銃側端部に対して段差を形成した凸部と、段差を形成しない凸部とを混在させことにより、フェライトコアに設けた凸部の電子銃側端部の欠けを防止しつつ、偏向パワーに関しても不利にならないようにすることができる。
【００１０】
前記カラー受像管装置においては、前記第２の凸部の前記先端の幅は３ｍｍ以上であり、前記第１の凸部の前記先端の幅は３ｍｍ未満であることが好ましい。この構成によれば、欠けの生じ易い幅が３ｍｍ未満の凸部の電子銃側端部に段差を形成することになるので、より確実に凸部欠けを防止することができる。
【００１１】
また、前記フェライトコアの水平軸を前記スクリーン面の画面水平方向と同じ方向でかつ前記管軸を通る軸とすると、前記第２の凸部は前記水平軸近傍に形成されていることが好ましい。この構成によれば、偏向磁界の磁界形成にはコイルの巻回の必要のない水平軸近傍部分に形成した凸部により、偏向パワーの低減を図ることができる。
【００１２】
以下本発明の一実施の形態について図面を参照しながら説明する。図１は、本発明の一実施の形態に係るカラー受像管装置の側面図及び部分断面図である。本図に示したカラー受像管装置は、陰極線管１と偏向ヨーク６とを備えている。陰極線管１は、外囲器及びこれに付属した構成部品とを備えている。外囲器は、内面にスクリーン面であるスクリーン面２ａが形成された前面平面パネル２とファンネル３とで構成されている。
【００１３】
ファンネル３のネック部４内には、３本の電子ビームを放出する電子銃５が設置されている。ファンネル３の外部を囲むように、偏向ヨーク６、コンバーゼンスヨーク７を装着している。偏向ヨーク６は、例えばサドル型の水平偏向コイルとトロイダル型の垂直偏向コイルとを備えたものがあり、この場合は垂直偏向コイルはフェライトコアに巻回されている。
【００１４】
スクリーン面２ａは、蛍光体層で形成されており、蛍光体層は、青、緑、赤に発光するドット状又はストライプ状の３色の蛍光体層である。スクリーン面２ａに対向してシャドウマスク８が配置されている。シャドウマスク８には、多数の電子ビーム通過孔が形成されている。
【００１５】
３本の電子ビームは、偏向ヨーク６の発生する水平、垂直偏向磁界により偏向され、シャドウマスク８を介してスクリーン面２ａ上を水平、垂直走査することにより、カラー画像が表示されることになる。
【００１６】
以下の説明において、スクリーン面２ａの画面水平方向の軸である水平軸をＸ軸、画面垂直方向の軸である垂直軸をＹ軸、管軸をＺ軸という。Ｘ軸とＹ軸とはＺ軸上で交わることになる。また、フェライトコア１０のＸ軸、Ｙ軸というときは、スクリーン面２ａのＸ軸、Ｙ軸をＺ軸に沿ってフェライトコア１０の位置まで平行移動させた軸のことをいうものとする。
【００１７】
図２は、偏向ヨーク６を構成するフェライトコア１０の電子銃側の端部を表す斜視図であり、図３は、スクリーン側の端部を表す斜視図である。図２に示したように、フェライトコア１０の電子銃側の端部は円筒部１１を形成している。円筒部１１の内面には、Ｚ軸側に向かって、すなわちファンネル３（図１）に向かって突出した凸部１２と凸部１３とが形成されている。
【００１８】
図３に示したように、凸部１２、凸部１３は電子銃側５（図１）からスクリーン面２ａ（図１）側に向けてフェライトコア１０の内面に沿って形成されている。凸部１２と凸部１２との間、及び凸部１２と凸部１３との間には溝が形成されており、この溝に沿って、偏向コイルをフェライトコア１０に巻回することができる。
【００１９】
図４は、フェライトコア１０の電子銃側の端部の平面図すなわちＸＹ平面における図である。本図は、図２に示したフェライトコア１０を矢印Ａ方向から見た図に相当する。凸部１２の最も電子銃側の端部１２ａの先端１２ｂは、内径Ｄ１の円の円周上の配置されている。凸部１２の根元部１２ｃは、内径Ｄ２の円筒面上に配置されている。凸部１２の先端１２ｂの幅はＷ１である。
【００２０】
Ｘ軸近傍に配置されている凸部１３についても、最も電子銃側の端部１３ａの先端１３ｂは、内径Ｄ１の円上の配置されている。また、凸部１３の根元部１３ｃは、内径Ｄ２の円筒面上に配置されている。凸部１３は凸部１２に比べ先端の幅が異なっており、先端１３ｂの幅は、先端１２ｂの幅Ｗ１より大きいＷ２である。各部寸法の一例は、Ｄ１＝３１ｍｍ、Ｄ２＝４５．４ｍｍ、Ｗ１＝２ｍｍ、Ｗ２＝１０ｍｍである。
【００２１】
図５はフェライトコア１０のＹＺ断面（ＹＺ平面の断面）の上側半分を示す図であり、フェライトコア１０の垂直断面である。図６はフェライトコア１０のＸＺ断面（ＸＺ平面の断面）の上側半分を示す図であり、フェライトコア１０の水平断面である。
【００２２】
図５は、凸部１２の断面を含んでいる。図５において、Ｚ軸上の位置のうち、フェライトコア１０の電子銃側端部１０ａの位置を原点位置、凸部１２の電子銃側端部１２ａの位置をＬ１、凸部１２のスクリーン側端部１２ｄの位置をＬ２、フェライトコア１０のスクリーン側端部１０ｂの位置をＬ３とする。例えば、Ｌ１＝２ｍｍ、Ｌ２＝３６ｍｍ、Ｌ３＝４８ｍｍである。
【００２３】
図５に示したように、凸部１２の電子銃側端部１２ａは、フェライトコア１０の電子銃側端部１０ａより距離Ｌ１だけスクリーン側に離れた位置にある。このため、凸部１２の電子銃側端部１２ａとフェライトコア１０の電子銃側端部１０ａとの間に深さＬ１の段差を形成している。
【００２４】
図６は、凸部１３の断面を含んでいる。図６において、凸部１３のスクリーン側端部１３ｄの位置は、図５における凸部１２のスクリーン側端部１２ｄの位置と同じであり、原点位置から距離Ｌ２だけ離れた位置にある。一方、電子銃側端部についてみると、凸部１３の電子銃側端部１３ａとフェライトコア１０の電子銃側端部１０ａとは同一面上にあり、段差は形成していない。
【００２５】
フェライトコア製造工程において、フェライトコア材のプレス成型後の焼成時において、フェライトコア１０の電子銃側端部１０ａが平板上に接するように載置すると、凸部１２の電子銃側端部１２ａと平板との間には、高さＬ１の隙間を形成することになる。したがって、平板への載置時において、凸部１２が平板へ接することによる凸部１２の欠けを防止することができる。
【００２６】
一方、凸部１３は凸部１２のように、電子銃側端部に段差を形成していないので、平板に載置した場合、凸部１３は平板に接することになる。しかしながら、前記のように凸部１３の電子銃側端部の幅Ｗ２は、凸部１２の幅Ｗ１より大きくしているので、凸部１２が平板に接した場合に比べ、凸部欠けは生じにくい。
【００２７】
ここで、前記のように凸部１２と凸部１２との間は、コイルの巻回に利用することができる。コイルの巻回は、フェライトコア１０の内面全体に亘り必要ではなく、電子ビームの偏向に必要な所定の磁界分布を形成できるように巻回されていれば足りる。本実施の形態に係るフェライトコア１０では、凸部１３の形成されている部分は、コイルの巻回が不要な部分であり、この巻回が不要な部分の全体に亘り凸部を形成している。したがって、凸部１３は凸部１２に比べてフェライトコア１０の周方向の長さを長くすることができ、凸部１３の幅Ｗ２は、凸部１２の幅Ｗ１よりも大きくなる。
【００２８】
この場合、幅の広い凸部１３を形成する位置は、図４に示したように、フェライトコア１０のＸ軸近傍であることが好ましい。偏向磁界の磁界形成にはこの部分へのコイルの巻回は必要ないからである。
【００２９】
次に、焼成時にフェライトコア１０を平板上に載置した場合の凸部欠け防止に限れば、幅の狭い凸部１２のみならず、幅の広い凸部１３についても電子銃側端部に段差を設けることが好ましい。しかしながら、段差を設けると凸部１３の電子銃側端部１３ａがスクリーン側に移動してしまい、偏向パワーの点で不利になる。
【００３０】
一方、前記のように幅の広い凸部１３は、段差を形成しなくても凸部欠け防止を図ることができる。したがって、本実施の形態に係るフェライトコア１０の構成は、偏向パワーの点で不利になることを防止しつつ、凸部欠け防止を図ることができる構成であるといえる。
【００３１】
より具体的には、凸部の幅を変化させた各種フェライトコアを試作し、実験確認を行ったところ、凸部欠けは先端の幅が３ｍｍ未満の場合に生じ易いことが確認できた。したがって、段差を設けるかどうかの先端幅の基準を３ｍｍとすることが好ましい。
【００３２】
図２〜６に示した構成のフェライトコア１０において、前記数値例の実施例と、この実施例において幅Ｗ２が１０ｍｍと広い凸部１３にも２ｍｍの段差を追加した比較例とで、比較試験を行なってみた。その結果、実施例は凸部欠けが無いことに加えて、比較例に比べ水平偏向パワーが２％低減していることが確認できた。
【００３３】
本発明は、凸部欠けの生じ易い幅の狭い凸部には電子銃側に段差を設け、凸部欠け防止を図れる程度に幅の広い凸部については、この凸部の電子銃側端部とフェライトコアの電子銃側端部とが略同一面上にあるというものである。すなわち、フェライトコアの電子銃側端部に対して段差を形成した凸部と、段差を形成しない凸部とが混在していることに特徴がある。
【００３４】
具体的には、前記のように幅３ｍｍ未満の凸部について段差を設けることが好ましいが、段差を設ける凸部の幅の基準は３ｍｍに限るものではない。これは、凸部欠けの防止が図れるかどうかの基準寸法は、製造諸条件によって変動する場合があるためである。このため、段差を設ける凸部１３の幅の基準は３ｍｍを目安として、製造諸条件に応じて適宜決定すればよい。
【００３５】
なお、前記実施の形態において、先端幅の広い凸部１３を水平軸近傍に設けた例で説明したが、これに加えて別の位置に先端幅の広い凸部を設けてもよい。また、先端幅寸法が確保できる程度に、水平軸近傍に設けた凸部を複数の凸部に分割してもよい。
【産業上の利用可能性】
【００３６】
以上のように、本発明によれば、フェライトコアに設けた凸部の電子銃側端部の欠けを防止しつつ、偏向パワーに関しても不利にならないようにすることができるので、テレビジョンやコンピュータディスプレイ等に用いられるカラー受像管装置に有用である。
【図面の簡単な説明】
【００３７】
【図１】本発明の一実施の形態に係るカラー受像管装置の側面図及び部分断面図。
【図２】本発明の一実施の形態に係るフェライトコアの電子銃側の端部を表す斜視図。
【図３】本発明の一実施の形態に係るフェライトコアのスクリーン側の端部を表す斜視図。
【図４】図２、３に示したフェライトコアの電子銃側の端部の平面図
【図５】図２、３に示したフェライトコアのＹＺ断面の上側半分を示す図。
【図６】図２、３に示したフェライトコアのＸＺ断面の上側半分を示す図。
【図７】従来のフェライトコアの一例の斜視図。
【符号の説明】
【００３８】
１  陰極線管
２  前面平面パネル
３  ファンネル
５  電子銃
６  偏向ヨーク
１０  フェライトコア
１２，１３  凸部
１２ａ，１３ａ  凸部の電子銃側の端部
【図１】
2005317378.tif 000003
【図２】
2005317378.tif 000004
【図３】
2005317378.tif 000005
【図４】
2005317378.tif 000006
【図５】
2005317378.tif 000007
【図６】
2005317378.tif 000008
【図７】
2005317378.tif 000009